(57)【要約】      （修正有）【課題】極めて趣向に富む自重走行体玩具を提供する。【解決手段】自重走行体４は走行体本体の左右に基端の支軸を中心に自重で両側に倒れて横に展開する起伏自在の左翼部１９ａと右翼部１９ｂを備え、無端レール部３の繰出し部３ａの手前には走行して対応する自重走行体の左翼部または右翼部の一方の前縁が連接してその移動と共に起立させる傾斜面を有する一方側起立用ガイド部が配備され、自重走行体の一方の側面と左翼部または右翼部が駆動上昇移送部２に対して同一対応体面となって連接する。【選択図】図１
0003206540.tif 000002
【実用新案登録請求の範囲】
【請求項１】
駆動上昇移送部と該駆動上昇移送部の受け入れ部に接続する繰出し部を一方の端部に備え、他方の端部に前記駆動上昇移送部の送出部から移乗を受ける移乗部を備える無端レール部とそれらを循環移動する自重走行体とから構成される自重走行体玩具において、前記自重走行体は走行体本体の左右に基端の支軸を中心に自重で両側に倒れて横に展開する起伏自在の左翼部と右翼部を備え、前記無端レール部の繰出し部の手前には走行して対応する自重走行体の左翼部または右翼部の一方の前縁が連接してその移動と共に起立させる傾斜面を有する一方側起立用ガイド部が配備され、自重走行体の一方の側面と左翼部または右翼部が駆動上昇移送部に対して同一対応体面となって連接する自重走行体玩具。
【請求項２】
前記無端レール部において、無端レール部を走行する自重走行体の左翼部側または右翼部側を支える支え壁部を通過する該側の手前には走行して対応する自重走行体の左翼部または右翼部の一方の前縁が連接してその移動と共に起立させる傾斜面を有する他方側起立用ガイド部が配備され、自重走行体の一方の側面と左翼部または右翼部が支え壁部に対して同一対応体面となって通過する請求項１の自重走行体玩具。
【請求項３】
前記駆動上昇移送部は、機枠本体と、その前面を閉鎖して前記自重走行体の移送面となる正面板と、前記機枠本体に配備される磁石回転機構と、該磁石回転機構により回転する磁石輪と、該磁石輪の所要半径円周線上において互いに所要等角齟齬して支軸が配備され、該各支軸には先端部に正面の横向き駆動磁石を配備した磁石腕杆の基端部が所要角回転自在に軸支されてなる請求項１又は請求項２の自重走行体玩具。
【請求項４】
前記自重走行体は、前記駆動上昇移送部と対応する側面に従動磁石を備え、前記駆動上昇移送部は、磁石回転機構により磁石輪を回転し、磁石輪に配備する磁石腕杆の正面の横向き駆動磁石を搖動回転して該駆動磁石が駆動上昇移送部の受入れ部を通過するとき、無端レール部の繰出し部に停車する前記自重走行体の従動磁石と引き合って吸着し、磁石腕杆の回転移動により前記自重走行体を、左翼部または右翼部を起立して駆動上昇移送部の表面に接面した状態で摺動させて無端レール部の移乗部と対応する送出部へ移送してなる請求項１、請求項２又は請求項３の自重走行体玩具。
【考案の詳細な説明】
【技術分野】
【０００１】
の考案は、駆動上昇移送部により自重走行体を上昇して駆動上昇移送部の送出部に接続する無端レール部の移乗部に移乗し、無端レール部の繰出し部まで自重動力により走行し、該繰出し部から駆動上昇移送部に移動して上昇移動を循環する自重走行体玩具に関するものである。
【背景技術】
【０００２】
特許文献１の走行玩具用レール装置は、走行玩具を上方へ搬送し得るように構成したコンベアを具備するハウジングと、複数個のレール部材からなる、少なくとも一対の走路を有するレール部材からなり、該レールは、前記ハウジングの適所に形成したトンネル状開口を貫通経由させると共に、その一端を前記コンベアの搬入端部に、その他端部を前記コンベアの搬出端部にそれぞれ連通させるように、前記ハウジングに着脱自在に装着した走行玩具用レール装置にある。
【０００３】
特許文献２の玩具用軌道装置は、環状レールの端部にリフト装置を接続した無端の軌道と、レールの傾斜と自重により転動するローラを備えた走行体からなり、前記リフト装置は両側に固定階段を設け、該固定階段の長手方向に沿って上端縁に係合段部を形成した一対の昇降板を配段し、前記一対の昇降板は機枠の出力軸に軸着したカムと係合して交互に昇降作動し、前記走行体は下端両側部に突設した突片に昇降板の係合段部が係合し、片側交互に次段の固定階段に運ばれるように構成したものである。
【先行技術文献】
【特許文献】
【０００４】
【特許文献１】実開昭５２−１２９３号公報
【特許文献２】実開昭６２−１８０４９５号公報
【考案の概要】
【考案が解決しようとする課題】
【０００５】
特許文献１の走行玩具用レール装置は、ハウジングのコンベアの作動によりハウジングの上方の搬出端部からレールに搬送され、レールの走路にしたがってハウジングのトンネルを通過しコンベアの搬入端部に戻り再び走行玩具をコンベアにより上方へ搬送を繰り返すものであるから、スピーディであり、しかも二連の走行なので、競争場面となって趣向に富むものであるが、走行玩具の挙動に変化がない点では面白みに欠けるものである。
【０００６】
特許文献２の玩具用軌道装置におけるリフト装置は両側に設けた固定階段を走行体が一歩一歩と駆け登るものであるから、動作に趣向を富むものであるが、無端の軌道をローラに備えた走行体が転回走行するだけであるのでありきたりのものである。
【０００７】
この考案は、かかる観点から、自重走行体がレールを自重で転回走行する間は、左右の翼体を横に展開する趣向に富む作動の開発を目的になされたものである。
【０００８】
前記自重走行体の趣向に富む作動は、駆動上昇移送部の上昇移送に障害とならず円滑な上昇作動の開発を目的になされたものである。
【課題を解決するための手段】
【０００９】
駆動上昇移送部と該駆動上昇移送部の受け入れ部に接続する繰出し部を一方の端部に備え、他方の端部に前記駆動上昇移送部の送出部から移乗を受ける移乗部を備える無端レール部とそれらの駆動上昇移送部と無端レール部とを循環移動する自重走行体とから構成される自重走行体玩具において、前記自重走行体は走行体本体の左右に基端の支軸を中心に自重で両側に倒れて横に展開する起伏自在の左翼部と右翼部を備え、前記無端レール部の繰出し部の手前には走行して対応する自重走行体の左翼部または右翼部の一方の前縁が連接して移動と共に起立させる傾斜面を有する一方側起立用ガイド部が配備されてなる自重走行体玩具ある。
【００１０】
前記無端レール部において、無端レール部を走行する自重走行体の左翼部側または右翼部側を支える支え壁部を通過する該側の手前には走行して対応する自重走行体の左翼部または右翼部の一方の前縁が連接してその移動と共に起立させる傾斜面を有する他方側起立用ガイド部が配備され、自重走行体の一方の側面と左翼部または右翼部が支え壁部に対して同一対応体面となって通過する自重走行体玩具としてもよいものである。
【００１１】
前記駆動上昇移送部は、機枠本体と、その前面を閉鎖して前記自重走行体の移送面となる正面板と、前記機枠本体に配備される磁石回転機構と、該磁石回転機構により回転する磁石輪と、該磁石輪の所要半径円周線上において互いに所要等角齟齬して支軸が配備され、該各支軸には先端部に正面の横向き駆動磁石を配備した磁石腕杆の基端部が所要角回転自在に軸支されてなる自重走行体玩具としてもよいものである。
【００１２】
前記自重走行体は、前記駆動上昇移送部と対応する側面に従動磁石を備え、前記駆動上昇移送部は、磁石回転機構により磁石輪を回転し、磁石輪に配備する磁石腕杆の正面の横向き駆動磁石を搖動回転して該駆動磁石が駆動上昇移送部の受入れ部を通過するとき、無端レール部の繰出し部に停車する前記自重走行体の従動磁石と引き合って吸着し、磁石腕杆の回転移動により前記自重走行体を、左翼部または右翼部を起立して駆動上昇移送部の表面に接面した状態で摺動させて無端レール部の移乗部と対応する送出部へ移送してなる自重走行体玩具としてもよいものである。
【考案の効果】
【００１３】
自重走行体は、無端レール部を自重により、左翼部と右翼部とを横に倒してその先端を左サイドウオールと右サイドウオールより外側に突出し、機体外形を拡大して降下走行時の玩具的趣向を高めるものである。
【００１４】
前記駆動上昇移送部の受入れ部を駆動磁石が通過するとき、自重走行体の従動磁石と引き合って吸着し、磁石腕杆の回転移動により自重走行体の左翼部を起立状態で、右翼部を横に倒れた展開状態で、駆動上昇移送部の表面を上昇させるものであるから空中移動の状況が現出されるものである。
【００１５】
また、駆動上昇移送部の表面を自重走行体は従動磁石と駆動磁石とが引き合って表面を摺動して上昇させるものであるから、自重走行体に摺動振動が発生し、空中移動の実感が得られるものである。
【００１６】
自重走行体が無端レール部の繰出し部への降下走行の途中で、右翼部が無端レール部の該側を対向して支える機枠本体の支え壁部を通過するところでは、該側の手前に無端レール部と一体に配備された他方側起立用ガイドの起立斜面に右翼部を接面して徐々起立して通過する。
【００１７】
以上、この考案の自重走行体玩具は、自重走行体を上昇移送作動と降下走行作動を駆動上昇移送部と無端レール部とに循環させて行うものであるから、極めて趣向に富む玩具を提供できるものである。
【図面の簡単な説明】
【００１８】
【図１】この考案の自重走行体玩具の正面外観斜視図である。
【図２】無端レール部の繰出し部と一方側起立用ガイドの起立斜面を示す部分斜視図である。
【図３】無端レール部の自重走行体の途中通過部と他方側起立用ガイドの起立斜面を示す部分斜視図である。
【図４】磁石回転機構を収容配備する凹陥収容部を前面に備える機枠本体を、その前面を閉鎖しかつ施飾する正面板を取外した状態の正面図である。
【図５】磁石輪単体の正面図である。
【図６】飛行機形の自重走行体単体の側面図である。
【図７】飛行機形の自重走行体単体の正面図である。
【図８】飛行機形の自重走行体単体の平面図である。
【図９】飛行機形の自重走行体単体の底面図である。
【図１０】図６のＡ−Ａ線に沿う端面図である。
【考案を実施するための形態】
【００１９】
駆動上昇移送部と該駆動上昇移送部の受け入れ部に接続する繰出し部を一方の端部に備え、他方の端部に前記駆動上昇移送部の送出部から移乗を受ける移乗部を備える無端レール部とそれらの駆動上昇移送部と無端レール部とを循環移動する自重走行体とから構成される自重走行体玩具において、前記自重走行体は走行体本体の左右に基端の支軸を中心に自重で両側に倒れて横に展開する起伏自在の左翼部と右翼部を備え、前記無端レール部の繰出し部の手前には走行して対応する自重走行体の左翼部または右翼部の一方の前縁が連接して移動と共に起立させる傾斜面を有する一方側起立用ガイド部及び前記無端レール部において、無端レール部を走行する自重走行体の左翼部側または右翼部側を支える機枠本体の支え壁部を通過する該側の手前には走行して対応する自重走行体の左翼部または右翼部の一方の前縁が連接してその移動と共に起立させる傾斜面を有する他方側起立用ガイド部が配備されてなる自重走行体玩具。
【実施例】
【００２０】
以下、添付の図面にしたがって、一実施例を説明する。自重走行体玩具１は、駆動上昇移送部２と該駆動上昇移送部２の受け入れ部２ａに接続する繰出し部３ａを一方の端に備え、他方の端に前記駆動上昇移送部２の送出部２ｂから移乗を受ける移乗部３ｂを備える無端レール部３と自重走行体４とから構成される。
【００２１】
実施例を示す図１では前記自重走行体４を無端レール部３に三体を配備している。
【００２２】
前記駆動上昇移送部２は、磁石回転機構５を収容配備する凹陥収容部５ａ１を前面に備える機枠本体５ａと、その前面を前記自重走行体４の移送面５ｂ１として閉鎖しかつ施飾する正面板５ｂから設けられる。
【００２３】
前記凹陥収容部５ａ１に収容配備される磁石回転機構５は、モータ６の回転軸７のウォームギヤ７ａと噛合する第１中間軸８の大径歯車８ａを回転し、該大径歯車８ａと一体のピニオン８ｂから第２中間軸９の大径歯車９ａに回転を伝達し、該回転を大径歯車９ａと一体の小径歯車９ｂと磁石回転軸１０の基端に取付けた大径歯車１０ａを噛合させてなるものである。
【００２４】
前記磁石回転軸１０は、半径Ｒ１の円周線Ｒ２上で、互いに１８０度齟齬して支軸１１を設けた磁石輪１２が支架される。該各支軸１１には先端部１３ａに正面の横向き駆動磁石１４を配備した磁石腕杆１３の基端部１３ｂが前記支軸１１に所要角回転自在に軸支される。
【００２５】
前記磁石腕杆１３の回転自在角は、基端部１３ｂの下端縁１３ｂ１と磁石車１２の外周支承面１２ａとの間隔により決るものである。
【００２６】
前記磁石輪１２は、磁石回転機構５のモータ６の回転を大径歯車１０ａに伝動して回転し、支軸１１により磁石腕杆１４が磁石回転軸１０を中心に凹陥収容部５ａ１の内周誘導面１５に誘導されて回転する。磁石腕杆１３の駆動磁石１４は、駆動上昇移送部２の正面板５ｂの背面を摺擦し、無端レール部３の繰出し部３ａに対応する駆動上昇移送部２の受け入れ部２ａから上方の無端レール部３の移乗部３ｂと対応する送出部２ｂへと回転移動するものである。
【００２７】
この考案の自重走行体４は、主として図６〜図９に示すように、自重走行体殻４ａの下半前後に前コロ車輪１６と後コロ車輪１７を備えて走行し、前記駆動上昇移送部２と対向する側面に従動磁石１８を備え、左右に横に倒して展開する起伏自在の左翼部１９ａと右翼部１９ｂを備える。
【００２８】
前記自重走行体４の自重走行体殻４ａにおいて、前記駆動上昇移送部２と対向する側面側の左翼部１９ａは、左翼基端１９ａ１の前支軸２０ａ１と後支軸２０ａ２を中心に重力作用により倒れて展開するように軸受され、反対側面側の右翼部１９ｂは、右翼基端１９ｂ１の前支軸２０ｂ１と後支軸２０ｂ２を中心に重力作用により倒れて展開するように軸受される。
【００２９】
前記自重走行体４において、前記駆動上昇移送部２と対向する側面側の左翼部１９ａは、前記駆動上昇移送部２と対向して無端レール部３に一体に配備された一方側起立用ガイド２１ａの起立斜面２１ａ１に接面してガイド作用を受けて徐々起立し、自重走行体４は起立した左翼部１９ａと従動磁石１８の外面を駆動上昇移送部２の受け入れ部２ａに接面して停止するものである。
【００３０】
前記自重走行体４において、前記駆動上昇移送部２と反対側に対向する側面側の右翼部１９ｂは、無端レール部３の右翼部１９ｂ側を支える機枠本体５ａの支え壁部２２を通過するところでは、該側の手前に無端レール部３と一体に配備された他方側起立用ガイド２１ｂの起立斜面２１ｂ１に接面してガイド作用を受けて徐々起立して通過し、通過して操作部が無くなると、右翼基端１９ｂ１の前支軸２０ｂ１と後支軸２０ｂ２を中心に重力作用により倒れて展開するように設けられる。
【００３１】
前記無端レール部３は、走路面３ｃの中央が誘導構２３に設けられ、自重走行体４の前コロ車輪１６と後コロ車輪１７が嵌合して誘導される。
【００３２】
前記無端レール部３は、両サイドに左サイドウオール３ｄ１と右サイドウオール３ｄ２を配備し有し、転落防止を図っている。
【００３３】
前記無端レール部３の前記一方側起立用ガイド２１ａは、左サイドウオール３ｄ１の上縁３ｄ１１が同一厚みで上方に延長され、自重走行体４の左翼部１９ａに対応する起立斜面２１ａ１が形成されてもよいものである。
【００３４】
自重走行体４が無端レール部３における降下走行の途中で無端レール部３を支える支え壁部２２を通過するところでは、該側の手前に無端レール部３の右サイドウオール３ｄ２の上縁３ｄ２１が同一厚みで上方に延長され、自重走行体４の右翼部１９ｂと対応連接する起立斜面２１ｂ１が形成されて有する他方側起立ガイド２１ｂが設けられる。
【００３５】
図示しない電気回路のスイッチを入れモータ６を回転させると回転は減速されて磁石回転軸１０を回転し、該磁石回転軸１０に支架される磁石輪１２を回転し、磁石輪１２の磁石腕杆１３は基端部１３ｂの支軸１１を中心に搖動自在に回転する。そこで、磁石腕杆１３の駆動磁石１４は駆動上昇移送部２の受入れ部２ａを通過するとき、無端レール部３の繰出し部３ａに停車する自重走行体４の従動磁石１８と引き合って吸着し、磁石腕杆１３の回転移動により自重走行体４を、左翼部１９ａを起立して駆動上昇移送部２の表面に接面した状態で摺動させて移送する。自重走行体４の右翼部１９ｂは横に倒れた展開状態にある。
【００３６】
駆動上昇移送部２の送出部２ｂにおいて移送した自重走行体４を無端レール部３の移乗部３ｂに移乗すると、磁石腕杆１３の駆動磁石１４は自重走行体４の従動磁石１８から離れて回転移動し、自重走行体４は左翼部１９ａを起立して駆動上昇移送部２の表面に接面した状態で移乗部３ｂに置き去りされる。
【００３７】
置き去りされた自重走行体４は、無端レール部３が傾斜しているので左翼部１９ａを起立し駆動上昇移送部２の表面に接面した状態で自重により降下走行し、駆動上昇移送部２を通過すると障害が無くなるから左翼部１９ａは自重によりを展開し、左翼部１９ａと右翼部１９ｂを展開した状態で無端レール部３の繰出し部３ａに戻る。
【００３８】
自重走行体４が無端レール部３の繰出し部３ａへの降下走行の途中で、右翼部１９ｂが無端レール部３の該側を対向して支える機枠本体５ａの支え壁部２２を通過するところでは、該側の手前に無端レール部３と一体に配備された他方側起立用ガイド２１ｂの起立斜面２１ｂ１に右翼部１９ｂを接面して徐々起立して通過する。
【００３９】
自重走行体４は、無端レール部３を自重により、左翼部１９ａと右翼部１９ｂとを横に倒してその左翼先端１９ａ２と右翼先端１９ｂ２を左サイドウオール３ｄ１と右サイドウオール３ｄ２より外側に突出し、機体外形を拡大して降下走行時の玩具的趣向を高めるものである。
【００４０】
前記駆動上昇移送部２の受入れ部２ａを駆動磁石１４が通過するとき、自重走行体４の従動磁石１８と引き合って吸着し、磁石腕杆１３の回転移動により自重走行体４の左翼部１９ａを起立状態で、右翼部１９ｂを横に倒れた展開状態で、駆動上昇移送部２の表面を上昇させるものであるから空中移動の状況が現出されるものである。
【００４１】
また、駆動上昇移送部２の表面を自重走行体４は従動磁石１８と駆動磁石１４とが引き合って表面を摺動して上昇させるものであるから、自重走行体４に摺動振動が発生し、一層の空中移動の実感が得られるものである。
【００４２】
以上、左右に突設した翼部を展開して無端レール部を循環降下走行する態様と板面移送時と支え壁部通過時に翼部を自動的に起立し円滑な移送と翼部の衝突を回避する機能を備え、極めて趣向に富む玩具を提供できる。
【００４３】
この考案の自重走行体玩具の自重走行体の走行方向は、実施例とした左回りに限定されるものではなく右回りも提供できるものである。
【００４４】
前記自重走行体４は、前記実施例として例示した飛行機形に限定されるもものではなく、鳥の形であっても、また、イルカの形でもよいものである。  
【符号の説明】
【００４５】
１  自重走行体玩具
２  駆動上昇移送部
２ａ  受け入れ部
２ｂ  送出部
３  無端レール部
３ａ  繰出し部
３ｂ  移乗部
３ｃ  走路面
３ｄ１  左サイドウオール
３ｄ１１  上縁
３ｄ２  右サイドウオール
３ｄ２１  上縁
４ａ  自重走行体殻
５  磁石回転機構
５ａ  機枠本体
５ａ１  凹陥収容部
５ｂ  正面板
５ｂ１  移送面
６  モータ
７  回転軸
７ａ  ウォームギヤ
８  第１中間軸
８ａ  大径歯車
８ｂ  ピニオン
９  第２中間軸
９ａ  大径歯車
９ｂ  小径歯車
１０  磁石回転軸
１０ａ  大径歯車
１１  支軸
１２  磁石輪
１２ａ  外周支承面
１３  磁石腕杆
１３ａ  先端部
１３ｂ  基端部
１３ｂ１  基端部下端縁
１４  駆動磁石
１５  内周誘導面
１６  前コロ車輪
１７  後コロ車輪
１８  従動磁石
１９ａ  左翼部
１９ａ１  左翼基端
１９ａ２  左翼先端
１９ｂ  右翼部
１９ｂ１  右翼基端
１９ｂ２  右翼先端
２０ａ１  前支軸
２０ａ２  後支軸
２０ｂ１  前支軸
２０ｂ２  後支軸
２１ａ  一方側起立用ガイド
２１ａ１  起立斜面
２１ｂ  他方側起立用ガイド
２１ｂ１  起立斜面
２２  支え壁部
２３  誘導構
Ｒ１  半径
Ｒ２  円周線
【図１】
0003206540.tif 000003
【図２】
0003206540.tif 000004
【図３】
0003206540.tif 000005
【図４】
0003206540.tif 000006
【図５】
0003206540.tif 000007
【図６】
0003206540.tif 000008
【図７】
0003206540.tif 000009
【図８】
0003206540.tif 000010
【図９】
0003206540.tif 000011
【図１０】
0003206540.tif 000012